(57)【特許請求の範囲】
【請求項１】
回転することによって第１レンズを光軸方向に移動させる第１リングおよび前記第１リングが回転可能となる回転位置と前記第１リングの回転を規制する規制位置との間で変位する第１固定ねじを有するレンズ装置と、前記レンズ装置を支持する支持部材とを備えたカメラ装置に取り付けられるカメラレンズ調整ずれ防止装置であって、
前記支持部材に固定される基部と、
前記基部に設けられ、前記第１リングの回転を規制する第１回転規制部材と
を備え、
前記第１回転規制部材は、前記基部に対して固定される第１固定部を有し、
前記第１固定部は、磁力を用いて前記基部に対して固定されるカメラレンズ調整ずれ防止装置。
【請求項２】
前記基部および前記第１固定部の一方には凹部が形成され、前記基部および前記第１固定部の他方は、前記凹部に挿入される凸部を有し、
前記凸部が前記凹部に挿入されることによって、前記基部に対する前記第１固定部の回転が規制される請求項１に記載のカメラレンズ調整ずれ防止装置。
【請求項３】
前記第１回転規制部材は、前記第１固定部に対して径方向に移動可能に設けられ前記第１リングを径方向に挟むことによって前記第１リングの回転を規制する第１はさみ装置をさらに有している請求項１または請求項２に記載のカメラレンズ調整ずれ防止装置。
【請求項４】
前記レンズ装置は、前記光軸方向に前記第１リングに並んで設けられ回転することによって第２レンズを光軸方向に移動させる第２リングをさらに有しており、
前記第１回転規制部材に設けられ、前記第２リングの回転を規制する第２回転規制部材をさらに備えている請求項１から請求項３までの何れか一項に記載のカメラレンズ調整ずれ防止装置。
【請求項５】
回転することによって第１レンズを光軸方向に移動させる第１リングおよび前記第１リングが回転可能となる回転位置と前記第１リングの回転を規制する規制位置との間で変位する第１固定ねじを有するレンズ装置と、前記レンズ装置を支持する支持部材とを備えたカメラ装置のカメラレンズ調整方法であって、
前記第１固定ねじの位置が前記回転位置である状態で、前記支持部材に基部を固定し、前記基部に設けられた第１回転規制部材を用いて前記第１リングの回転を規制する仮回転規制工程と、
前記仮回転規制工程の後、前記第１固定ねじを前記回転位置から前記規制位置に変位させる本回転規制工程と
を備え、
前記第１回転規制部材は、前記基部に対して固定される第１固定部を有し、
前記仮回転規制工程では、前記第１固定部は、磁力を用いて前記基部に対して固定されるカメラレンズ調整方法。
【発明の詳細な説明】
【技術分野】
【０００１】
この発明は、カメラのレンズの調整位置をロックする際にレンズの調整位置がずれることを防止するカメラレンズ調整ずれ防止装置およびカメラレンズ調整方法に関する。
【背景技術】
【０００２】
従来、回転することによってフォーカスレンズを光軸方向に移動させるフォーカスリングと、フォーカスリングが回転可能となる回転位置とフォーカスリングの回転を規制する規制位置との間で変位するフォーカス用固定ねじと、回転することによってズームレンズを光軸方向に移動させるズームリングと、ズームリングが回転可能となる回転位置とズームリングの回転を規制する規制位置との間で変位するズーム用固定ねじとを備え、フォーカスレンズおよびズームレンズを所望の位置に変位させた後に、フォーカス用固定ねじおよびズーム用固定ねじを回転位置から規制位置に変位させるカメラ装置が知られている（例えば、特許文献１参照）。
【先行技術文献】
【特許文献】
【０００３】
【特許文献１】特開２００７−３１０２２８号公報
【発明の概要】
【発明が解決しようとする課題】
【０００４】
しかしながら、例えば、フォーカス用固定ねじを回転位置から規制位置に変位させる際に、フォーカスリングが回転してしまい、フォーカスレンズの調整にずれが生じてしまうという問題点があった。
【０００５】
この発明は、レンズの調整ずれの発生を抑制することができるカメラレンズ調整ずれ防止装置およびカメラレンズ調整方法を提供するものである。
【課題を解決するための手段】
【０００６】
この発明に係るカメラレンズ調整ずれ防止装置は、回転することによって第１レンズを光軸方向に移動させる第１リングおよび第１リングが回転可能となる回転位置と第１リングの回転を規制する規制位置との間で変位する第１固定ねじを有するレンズ装置と、レンズ装置を支持する支持部材とを備えたカメラ装置に取り付けられるカメラレンズ調整ずれ防止装置であって、支持部材に固定される基部と、基部に設けられ、第１リングの回転を規制する第１回転規制部材とを備え、第１回転規制部材は、基部に対して固定される第１固定部を有し、第１固定部は、磁力を用いて基部に対して固定される。
【発明の効果】
【０００７】
この発明に係るカメラレンズ調整ずれ防止装置によれば、支持部材に基部を固定し、基部に設けられた第１回転規制部材を用いて第１リングの回転を規制するので、第１固定ねじを回転位置から規制位置に変位させる際に、第１リングが回転してしまうことを抑制することができる。その結果、レンズの調整ずれの発生を抑制することができる。
【図面の簡単な説明】
【０００８】
【図１】この発明の実施の形態１に係るカメラレンズ調整ずれ防止装置が取り付けられるカメラ装置を示す正面図である。
【図２】図１のカメラ装置を示す側面図である。
【図３】図１のカメラ装置にカメラレンズ調整ずれ防止装置が取り付けられた状態を示す図である。
【図４】図３のカメラ装置およびカメラレンズ調整ずれ防止装置を示す側面図である。
【図５】図４のカメラ装置およびカメラレンズ調整ずれ防止装置を示す断面図である。
【図６】図５のカメラレンズ調整ずれ防止装置を分解した状態を示す平面図である。
【図７】この発明の実施の形態２に係るカメラレンズ調整ずれ防止装置を示す側面図である。
【図８】図７のカメラレンズ調整ずれ防止装置を分解した状態を示す平面図である。
【図９】図８のＩＸ−ＩＸ線に沿った矢視断面図である。
【図１０】この発明の実施の形態３に係るカメラレンズ調整ずれ防止装置が取り付けられるカメラ装置を示す側面図である。
【図１１】図１０のカメラ装置に取り付けられたカメラレンズ調整ずれ防止装置を示す側面図である。
【発明を実施するための形態】
【０００９】
実施の形態１．
図１はこの発明の実施の形態１に係るカメラレンズ調整ずれ防止装置が取り付けられるカメラ装置を示す正面図、図２は図１のカメラ装置を示す側面図である。この例では、カメラ装置１Ａは、監視カメラとして用いられる。なお、カメラ装置１Ａは、監視カメラ以外として用いられてもよい。カメラ装置１Ａは、レンズ装置１１と、レンズ装置１１を支持する支持部材１２とを備えている。支持部材１２は、図示しない土台を介して天井または壁に取り付けられる。
【００１０】
レンズ装置１１は、回転することによってズームレンズ（第１レンズ）を光軸方向に移動させるズームリング（第１リング）１１１と、ズームリング１１１が回転可能となる回転位置とズームリング１１１の回転を規制する規制位置との間で変位するズーム用固定ねじ（第１固定ねじ）１１２と、回転することによってフォーカスレンズ（第２レンズ）を光軸方向に移動させるフォーカスリング（第２リング）１１３と、フォーカスリング１１３が回転可能となる回転位置とフォーカスリング１１３の回転を規制する規制位置との間で変位するフォーカス用固定ねじ（第２固定ねじ）１１４とを有している。フォーカスリング１１３は、光軸方向についてズームリング１１１よりも被写体側に配置されている。
【００１１】
図３は図１のカメラ装置１Ａにカメラレンズ調整ずれ防止装置が取り付けられた状態を示す図、図４は図３のカメラ装置１Ａおよびカメラレンズ調整ずれ防止装置を示す側面図、図５は図４のカメラ装置１Ａおよびカメラレンズ調整ずれ防止装置を示す断面図である。図において、カメラレンズ調整ずれ防止装置２Ａは、支持部材１２に固定される基部２１と、基部２１に設けられ、ズームリング１１１の回転を規制するズームリング回転規制部材（第１回転規制部材）２２と、ズームリング回転規制部材２２に設けられ、フォーカスリング１１３の回転を規制するフォーカスリング回転規制部材（第２回転規制部材）２３とを備えている。
【００１２】
基部２１は、円筒形状の基部本体２１１と、基部本体２１１に設けられた４個のボルト２１２とを有している。基部本体２１１には、支持部材１２が挿入される貫通孔２１３が形成されている。貫通孔２１３の径方向の寸法は、支持部材１２の径方向の寸法よりも大きくなっている。４個のボルト２１２は、基部本体２１１に対して径方向に移動可能となっている。４個のボルト２１２は、周方向に並べて配置されている。４個のボルト２１２が支持部材１２を径方向に挟むことによって、基部２１が支持部材１２に固定される。これにより、基部２１は、径方向の寸法が異なる複数の支持部材１２に対してボルト２１２の径方向の位置を変化させることによって、支持部材１２に固定される。なお、基部本体２１１は、円筒形状に限らず、その他の形状であってもよい。また、基部本体２１１は、例えば、上部と下部とに切り離し可能な形状等、複数の分割部材から構成されてもよい。これにより、基部本体２１１を容易に支持部材１２に固定することができる。また、基部２１が有するボルト２１２の数は、４個に限らず、基部２１を支持部材１２に固定できる数であればよい。
【００１３】
ズームリング回転規制部材２２は、基部２１に対して固定される円筒形状の第１固定部２２１と、第１固定部２２１に設けられた２個のボルト２２２とを有している。第１固定部２２１には、ズームリング１１１が挿入される貫通孔２２３が形成されている。貫通孔２２３の径方向の寸法は、ズームリング１１１の径方向の寸法よりも大きくなっている。２個のボルト２２２は、第１固定部２２１に対して径方向に移動可能となっている。２個のボルト２２２は、ズームリング１１１を径方向に挟むように配置されている。２個のボルト２２２は、ズームリング１１１を径方向に挟むことによってズームリング１１１の回転を規制する。これにより、ズームリング回転規制部材２２は、径方向の寸法が異なる複数のズームリング１１１に対してボルト２２２の径方向の位置を変化させることによって、ズームリング１１１の回転を規制する。なお、第１固定部２２１は、円筒形状に限らず、その他の形状であってもよい。また、第１固定部２２１は、例えば、上部と下部とに切り離し可能な形状等、複数の分割部材から構成されてもよい。これにより、ズームリング回転規制部材２２を容易にズームリング１１１に取り付けることができる。２個のボルト２２２は、第１はさみ装置を構成する。なお、ズームリング回転規制部材２２が有するボルト２２２は、２個に限らず、ズームリング１１１の回転を規制することができる数であればよい。
【００１４】
フォーカスリング回転規制部材２３は、第１固定部２２１に対して固定される円筒形状の第２固定部２３１と、第２固定部２３１に設けられた２個のボルト２３２とを有している。第２固定部２３１には、フォーカスリング１１３が挿入される貫通孔２３３が形成されている。貫通孔２３３の径方向の寸法は、フォーカスリング１１３の径方向の寸法よりも大きくなっている。２個のボルト２３２は、第２固定部２３１に対して径方向に移動可能となっている。２個のボルト２３２は、フォーカスリング１１３を径方向に挟むように配置されている。２個のボルト２３２は、フォーカスリング１１３を径方向に挟むことによってフォーカスリング１１３の回転を規制する。これにより、フォーカスリング回転規制部材２３は、径方向の寸法が異なる複数のフォーカスリング１１３に対してボルト２３２の径方向の位置を変化させることによって、フォーカスリング１１３の回転を規制する。なお、第２固定部２３１は、円筒形状に限らず、その他の形状であってもよい。また、第２固定部２３１は、例えば、上部と下部とに切り離し可能な形状等、複数の分割部材から構成されてもよい。これにより、フォーカスリング回転規制部材２３を容易にフォーカスリング１１３に取り付けることができる。２個のボルト２３２は、第２はさみ装置を構成する。なお、フォーカスリング回転規制部材２３が有するボルト２３２は、２個に限らず、フォーカスリング１１３の回転を規制することができる数であればよい。
【００１５】
図６は図５のカメラレンズ調整ずれ防止装置２Ａを分解した状態を示す平面図である。基部本体２１１は、鉄から構成されている。基部本体２１１における第１固定部２２１に対向する面には、複数の凹部２１４が形成されている。複数の凹部２１４は、周方向に並べて配置されている。
【００１６】
第１固定部２２１は、磁石から構成されている。したがって、第１固定部２２１は、基部本体２１１に近づけることによって、磁力を用いて基部本体２１１に対して固定される。第１固定部２２１は、第１固定部２２１における基部本体２１１に対向する面に形成された複数の凸部２２４を有している。複数の凸部２２４は、周方向に並べて配置されている。また、複数の凸部２２４は、複数の凹部２１４に挿入されるように配置されている。凸部２２４が凹部２１４に挿入されることによって、周方向についての基部本体２１１に対する第１固定部２２１の回転がより確実に規制される。第１固定部２２１における第２固定部２３１に対向する面には、複数の凹部２２５が形成されている。複数の凹部２２５は、周方向に並べて配置されている。第１固定部２２１には、第１固定部２２１における基部本体２１１に対向する面から第２固定部２３１に向かって延びた溝２２６が形成されている。溝２３５は、ズーム用固定ねじ１１２が挿入可能となっている。
【００１７】
第２固定部２３１は、磁石から構成されている。第２固定部２３１における第１固定部２２１に対向する面の磁極は、第１固定部２２１における第２固定部２３１に対向する面の磁極と異なるようになっている。したがって、第２固定部２３１は、第１固定部２２１に近づけることによって、磁力を用いて第１固定部２２１に対して固定される。第２固定部２３１は、第２固定部２３１における第１固定部２２１に対向する面に形成された複数の凸部２３４を有している。複数の凸部２３４は、周方向に並べて配置されている。また、複数の凸部２３４は、複数の凹部２２５に挿入されるように配置されている。凸部２３４が凹部２２５に挿入されることによって、周方向についての第１固定部２２１に対する第２固定部２３１の回転がより確実に規制される。第２固定部２３１には、第２固定部２３１における第１固定部２２１に対向する面から被写体側に向かって延びた溝２３５が形成されている。溝２３５は、フォーカス用固定ねじ１１４が挿入可能となっている。
【００１８】
次に、カメラレンズ調整ずれ防止装置２Ａを用いたカメラレンズ調整方法について説明する。まず、ズーム用固定ねじ１１２およびフォーカス用固定ねじ１１４の位置を回転位置にした状態で、基部２１を支持部材１２に固定し、ズームリング回転規制部材２２をズームリング１１１に取り付け、フォーカスリング回転規制部材２３をフォーカスリング１１３に取り付ける。このとき、基部２１とズームリング回転規制部材２２との間には磁力による引力が発生し、ズームリング回転規制部材２２とフォーカスリング回転規制部材２３との間には磁力による引力が発生する。したがって、ズームリング回転規制部材２２は基部２１に接続され、フォーカスリング回転規制部材２３はズームリング回転規制部材２２に接続される。また、このとき、ボルト２２２の位置は、ズームリング回転規制部材２２がまだズームリング１１１の回転を規制しない位置であり、ボルト２３２の位置は、フォーカスリング回転規制部材２３がまだフォーカスリング１１３の回転を規制しない位置である。
【００１９】
その後、ズームリング１１１を回転させてズームレンズの位置を調整し、フォーカスリング１１３を回転させてフォーカスレンズの位置を調整する。ズームリング１１１を回転させる場合には、ズームリング回転規制部材２２を基部２１から切り離し、フォーカスリング１１３を回転させる場合には、フォーカスリング回転規制部材２３をズームリング回転規制部材２２から切り離す。
【００２０】
ズームレンズおよびフォーカスレンズのそれぞれの位置の調整が終了した後、ボルト２２２を径方向に移動させてズームリング回転規制部材２２がズームリング１１１の回転を規制し、ボルト２３２を径方向に移動させてフォーカスリング回転規制部材２３がフォーカスリング１１３の回転を規制する（仮回転規制工程）。
【００２１】
仮回転規制工程の後、ズーム用固定ねじ１１２およびフォーカス用固定ねじ１１４を回転位置から規制位置に変位させる（本回転規制工程）。このとき、ズームリング回転規制部材２２によりズームリング１１１の回転が規制され、フォーカスリング回転規制部材２３によりフォーカスリング１１３の回転が規制されているので、ズーム用固定ねじ１１２またはフォーカス用固定ねじ１１４に周方向の力が加えられた場合であっても、ズームリング１１１およびフォーカスリング１１３が回転することが防止される。これにより、ズームレンズおよびフォーカスレンズのそれぞれの調整位置がずれることが防止される。
【００２２】
本回転規制工程の後、ズームリング回転規制部材２２をズームリング１１１から取り外し、フォーカスリング回転規制部材２３をフォーカスリング１１３から取り外し、基部２１を支持部材１２から取り外す（装置取外工程）。以上により、カメラレンズ調整ずれ防止装置２Ａを用いたカメラレンズ調整方法が終了する。
【００２３】
以上説明したように、この発明の実施の形態１に係るカメラレンズ調整ずれ防止装置２Ａによれば、支持部材１２に固定される基部２１と、基部２１に設けられ、ズームリング１１１の回転を規制するズームリング回転規制部材２２とを備えているので、支持部材１２に基部２１を固定し、基部２１に設けられたズームリング回転規制部材２２を用いてズームリング１１１の回転を規制することができる。これにより、ズーム用固定ねじ１１２を回転位置から規制位置に変位させる際に、ズームリング１１１が回転してしまうことを抑制することができる。その結果、ズームレンズの調整ずれの発生を抑制することができる。
【００２４】
また、ズームリング回転規制部材２２は、基部２１に対して固定される第１固定部２２１を有し、第１固定部２２１は、磁力を用いて基部２１に対して固定されるので、ズームリング回転規制部材２２を基部２１に簡単に取り付けることができ、また、ズームリング回転規制部材２２を基部２１から簡単に取り外すことができる。
【００２５】
また、基部２１には、凹部２１４が形成され、第１固定部２２１には、凹部２１４に挿入される凸部２２４を有し、凸部２２４が凹部２１４に挿入されることによって、基部２１に対する第１固定部２２１の回転が規制されるので、簡単な構成で、基部２１に対するズームリング回転規制部材２２の回転を規制することができる。
【００２６】
また、ズームリング回転規制部材２２は、第１固定部２２１に対して径方向に移動可能に設けられズームリング１１１を径方向に挟むことによってズームリング１１１の回転を規制する第１はさみ装置をさらに有しているので、ズームリング回転規制部材２２は、径方向の寸法が異なる複数のズームリング１１１に対して第１はさみ装置の径方向の位置を変化させることによって、ズームリング１１１の回転を規制することができる。
【００２７】
また、カメラレンズ調整ずれ防止装置２Ａは、ズームリング回転規制部材２２に設けられフォーカスリング１１３の回転を規制するフォーカスリング回転規制部材２３を備えているので、フォーカス用固定ねじ１１４を回転位置から規制位置に変位させる際に、フォーカスリング１１３が回転してしまうことを抑制することができる。その結果、フォーカスレンズの調整ずれの発生を抑制することができる。
【００２８】
また、この発明の実施の形態１に係るカメラレンズ調整方法によれば、ズーム用固定ねじ１１２の位置が回転位置である状態で、支持部材１２に基部２１を固定し、基部２１に設けられたフォーカスリング回転規制部材２３を用いてズームリング１１１の回転を規制する仮回転規制工程と、仮回転規制工程の後、ズーム用固定ねじ１１２を回転位置から規制位置に変位させる本回転規制工程とを備えているので、支持部材１２に基部２１を固定し、基部２１に設けられたズームリング回転規制部材２２を用いてズームリング１１１の回転を規制することができる。これにより、ズーム用固定ねじ１１２を回転位置から規制位置に変位させる際に、ズームリング１１１が回転してしまうことを抑制することができる。その結果、ズームレンズの調整ずれの発生を抑制することができる。
【００２９】
なお、上記実施の形態１では、ズームリング回転規制部材２２をズームリング１１１に取り付け、フォーカスリング回転規制部材２３をフォーカスリング１１３に取り付けた後に、ズームリング１１１を回転させてズームレンズの位置を調整し、フォーカスリング１１３を回転させてフォーカスレンズの位置を調整するカメラレンズ調整方法について説明したが、ズームリング１１１を回転させてズームレンズの位置を調整し、フォーカスリング１１３を回転させてフォーカスレンズの位置を調整した後に、ズームリング回転規制部材２２をズームリング１１１に取り付け、フォーカスリング回転規制部材２３をフォーカスリング１１３に取り付けてもよい。
【００３０】
また、上記実施の形態１では、本回転規制工程の後に、装置取外工程を行うカメラレンズ調整方法について説明したが、装置取外工程を行わずに、カメラレンズ調整ずれ防止装置２Ａをカメラ装置１Ａに取り付けたままとするカメラレンズ調整方法であってもよい。
【００３１】
実施の形態２．
図７はこの発明の実施の形態２に係るカメラレンズ調整ずれ防止装置を示す側面図、図８は図７のカメラレンズ調整ずれ防止装置を分解した状態を示す平面図、図９は図８のＩＸ−ＩＸ線に沿った矢視断面図である。図において、カメラレンズ調整ずれ防止装置２Ｂは、支持部材１２に固定される基部２１と、基部２１に設けられ、ズームリング１１１の回転を規制するズームリング回転規制部材２４と、ズームリング回転規制部材２４に設けられ、フォーカスリング１１３の回転を規制するフォーカスリング回転規制部材２５とを備えている。基部２１は、実施の形態１における基部２１と同様の構成となっている。
【００３２】
ズームリング回転規制部材２４は、ズームリング１１１におけるズーム用固定ねじ１１２が取り付けられている部分を含む半周部分を覆う第１固定部２４１と、第１固定部２４１に設けられ、第１固定部２４１に対して周方向に移動可能な可動部２４２とを有している。第１固定部２４１には、ズーム用固定ねじ１１２が挿入可能な貫通孔２４３が形成されている。ズームリング回転規制部材２４は、貫通孔２４３に挿入されたズーム用固定ねじ１１２を可動部２４２が貫通孔２４３とともに挟むことによって、ズームリング１１１の回転を規制する。可動部２４２および貫通孔２４３の側壁とによってズームリング１１１の回転が規制されている場合であっても、ズーム用固定ねじ１１２の回転は可能となっている。
【００３３】
フォーカスリング回転規制部材２５は、フォーカスリング１１３におけるフォーカス用固定ねじ１１４が取り付けられている部分を含む半周部分を覆う第２固定部２５１と、第２固定部２５１に設けられ、第２固定部２５１に対して周方向に移動可能な可動部２５２とを有している。第２固定部２５１には、フォーカス用固定ねじ１１４が挿入可能な貫通孔２５３が形成されている。フォーカスリング回転規制部材２５は、貫通孔２５３に挿入されたフォーカス用固定ねじ１１４を可動部２５２が貫通孔２５３とともに挟むことによって、フォーカスリング１１３の回転を規制する。可動部２５２および貫通孔２５３の側壁とによってフォーカスリング１１３の回転が規制されている場合であっても、フォーカス用固定ねじ１１４の回転は可能となっている。
【００３４】
第１固定部２４１は、磁石から構成されている。したがって、第１固定部２４１は、基部本体２１１に近づけることによって、磁力を用いて基部本体２１１に対して固定される。第１固定部２４１は、第１固定部２４１における基部本体２１１に対向する面に形成された複数の凸部２４４を有している。複数の凸部２４４は、周方向に並べて配置されている。また、複数の凸部２４４は、複数の凹部２１４に挿入されるように配置されている。凸部２４４が凹部２１４に挿入されることによって、周方向についての基部本体２１１に対する第１固定部２４１の回転がより確実に規制される。第１固定部２４１における第２固定部２５１に対向する面には、複数の凹部２４５が形成されている。複数の凹部２４５は、周方向に並べて配置されている。
【００３５】
第１固定部２４１における第２固定部２５１に対向する面には、周方向に延びた溝２４６が形成されている。溝２４６は、第２固定部２５１側に配置された細部２４７と、光軸方向について細部２４７よりも第２固定部２５１から離れて配置された太部２４８とを有している。太部２４８における厚さ方向の寸法は、細部２４７における厚さ方向の寸法よりも大きくなっている。溝２４６には、断面Ｔ字状の空間が形成されている。
【００３６】
第２固定部２５１は、磁石から構成されている。第２固定部２５１における第１固定部２４１に対向する面の磁極は、第１固定部２４１における第２固定部２５１に対向する面の磁極と異なるようになっている。したがって、第２固定部２５１は、第１固定部２４１に近づけることによって、磁力を用いて第１固定部２４１に対して固定される。第２固定部２５１は、第２固定部２５１における第１固定部２４１に対向する面に形成された複数の凸部２５４を有している。複数の凸部２５４は、周方向に並べて配置されている。また、複数の凸部２５４は、複数の凹部２４５に挿入されるように配置されている。凸部２５４が凹部２４５に挿入されることによって、周方向についての第１固定部２４１に対する第２固定部２５１の回転をより確実に規制される。
【００３７】
第２固定部２５１における第１固定部２４１に対向する部分には、鍵部２５５が設けられている。鍵部２５５は、溝２４６に挿入されている。鍵部２５５は、細部２４７に挿入される小部２５６と、太部２４８に挿入される大部２５７とを有している。大部２５７の厚さ方向の寸法は、細部２４７の厚さ方向の寸法よりも大きくなっている。したがって、フォーカスリング回転規制部材２５がズームリング回転規制部材２４から離れる方向に移動させた場合に、鍵部２５５が溝２４６から引き抜かれることが防止されている。大部２５７における奥行方向の寸法は、太部２４８の奥行方向の寸法よりも小さくなっている。したがって、大部２５７は、太部２４８の中で奥行方向に移動可能となっている。ここで、奥行方向とは、光軸方向である。大部２５７が太部２４８における細部２４７側の部分にある場合には、凸部２５４が凹部２４５から引き抜かれる。したがって、この場合、フォーカスリング回転規制部材２５は、ズームリング回転規制部材２４に対して周方向に回転可能となる。その他の構成は、実施の形態１と同様である。
【００３８】
次に、カメラレンズ調整ずれ防止装置２Ｂを用いたカメラレンズ調整方法について説明する。まず、ズーム用固定ねじ１１２およびフォーカス用固定ねじ１１４の位置を回転位置にした状態で、基部２１を支持部材１２に固定し、ズームリング回転規制部材２４をズームリング１１１に取り付け、フォーカスリング回転規制部材２５をフォーカスリング１１３に取り付ける。このとき、基部２１とズームリング回転規制部材２４との間には磁力による引力が発生し、ズームリング回転規制部材２４とフォーカスリング回転規制部材２５との間には磁力による引力が発生する。したがって、ズームリング回転規制部材２４は基部２１に接続され、フォーカスリング回転規制部材２５はズームリング回転規制部材２４に接続される。また、このとき、可動部２４２の位置は、ズームリング回転規制部材２４がズームリング１１１の回転を規制しない位置であり、可動部２５２の位置は、フォーカスリング回転規制部材２５がフォーカスリング１１３の回転を規制しない位置である。
【００３９】
その後、ズームリング１１１を回転させてズームレンズの位置を調整し、フォーカスリング１１３を回転させてフォーカスレンズの位置を調整する。ズームリング１１１を回転させる場合には、ズームリング回転規制部材２４を基部２１から切り離し、フォーカスリング１１３を回転させる場合には、フォーカスリング回転規制部材２５をズームリング回転規制部材２４から離れる方向に移動させて凸部２５４を凹部２４５から引き抜く。
【００４０】
ズームレンズおよびフォーカスレンズのそれぞれの位置の調整が終了した後、可動部２４２を周方向に移動させてズームリング回転規制部材２４がズームリング１１１の回転を規制し、可動部２５２を周方向に移動させてフォーカスリング回転規制部材２５がフォーカスリング１１３の回転を規制する（仮回転規制工程）。
【００４１】
仮回転規制工程の後、ズーム用固定ねじ１１２およびフォーカス用固定ねじ１１４を回転位置から規制位置に変位させる（本回転規制工程）。このとき、ズームリング回転規制部材２４によりズームリング１１１の回転が規制され、フォーカスリング回転規制部材２５によりフォーカスリング１１３の回転が規制されているので、ズーム用固定ねじ１１２またはフォーカス用固定ねじ１１４に周方向の力が加えられた場合であっても、ズームリング１１１およびフォーカスリング１１３が回転することが防止される。これにより、ズームレンズおよびフォーカスレンズのそれぞれの調整位置がずれることが防止される。
【００４２】
本回転規制工程の後、ズームリング回転規制部材２４をズームリング１１１から取り外し、フォーカスリング回転規制部材２５をフォーカスリング１１３から取り外し、基部２１を支持部材１２から取り外す（装置取外工程）。以上により、カメラレンズ調整ずれ防止装置２Ａを用いたカメラレンズ調整方法が終了する。
【００４３】
以上説明したように、この発明の実施の形態２に係るカメラレンズ調整ずれ防止装置２Ｂによれば、ズームリング回転規制部材２４は、第１固定部２４１と、第１固定部２４１に設けられ、第１固定部２４１に対して周方向に移動可能な可動部２４２とを有し、第１固定部２４１には、ズーム用固定ねじ１１２が挿入可能な貫通孔２４３が形成され、ズームリング回転規制部材２４は、貫通孔２４３に挿入されたズーム用固定ねじ１１２を可動部２４２が貫通孔２４３とともに挟むことによって、ズームリング１１１の回転を規制するので、簡単な構成で、ズームリング１１１の回転を規制することができる。
【００４４】
また、フォーカスリング回転規制部材２５は、第２固定部２５１と、第２固定部２５１に設けられ、第２固定部２５１に対して周方向に移動可能な可動部２５２とを有し、第２固定部２５１には、フォーカス用固定ねじ１１４が挿入可能な貫通孔２５３が形成され、フォーカスリング回転規制部材２５は、貫通孔２５３に挿入されたフォーカス用固定ねじ１１４を可動部２５２が貫通孔２５３とともに挟むことによって、フォーカスリング１１３の回転を規制するので、簡単な構成で、フォーカスリング１１３の回転を規制することができる。
【００４５】
なお、上記実施の形態２では、本回転規制工程の後に、装置取外工程を行うカメラレンズ調整方法について説明したが、装置取外工程を行わずに、カメラレンズ調整ずれ防止装置２Ｂをカメラ装置１Ａに取り付けたままとするカメラレンズ調整方法であってもよい。
【００４６】
実施の形態３．
図１０はこの発明の実施の形態３に係るカメラレンズ調整ずれ防止装置が取り付けられるカメラ装置を示す側面図、図１１は図１０のカメラ装置に取り付けられたカメラレンズ調整ずれ防止装置を示す側面図である。図において、カメラ装置１Ｂは、いわゆるドーム型となっている。カメラ装置１Ｂは、天井３に固定される基台１３と、基台１３から下方に延びた脚部１４と、脚部１４に設けられ支持部材１２と、支持部材１２に支持されたレンズ装置１１と、基台１３に設けられ、レンズ装置１１を下方から覆うカバー１５とを備えている。脚部１４は、天井３に対して垂直に立てられている。脚部１４は、脚部１４の周方向について基台１３に対して回転可能となっている。支持部材１２は、脚部１４に設けられ天井３に沿って延びた回転軸を中心に脚部１４に対して回転可能となっている。したがって、カメラ装置１Ｂは、方位角および仰角が変更可能となっている。
【００４７】
カメラレンズ調整ずれ防止装置２Ｃは、支持部材１２に固定される基部２１と、基部２１に設けられ、ズームリング１１１の回転を規制するズームリング回転規制部材２４と、ズームリング回転規制部材２４に設けられ、フォーカスリング１１３の回転を規制するフォーカスリング回転規制部材２５とを備えている。基部２１は、ボルト２６を用いて支持部材１２に固定される。なお、基部２１は、ボルト２６に限らず、例えば、バンドを用いて支持部材１２に固定されてもよい。その他の構成は、実施の形態２と同様である。
【００４８】
以上説明したように、この発明の実施の形態３に係るカメラレンズ調整ずれ防止装置２Ｃによれば、実施の形態２に係るカメラレンズ調整ずれ防止装置２Ｂと同様に、支持部材１２に固定される基部２１と、基部２１に設けられ、ズームリング１１１の回転を規制するズームリング回転規制部材２４とを備えているので、支持部材１２に基部２１を固定し、基部２１に設けられたズームリング回転規制部材２４を用いてズームリング１１１の回転を規制することができる。これにより、ズーム用固定ねじ１１２を回転位置から規制位置に変位させる際に、ズームリング１１１が回転してしまうことを抑制することができる。その結果、ズームレンズの調整ずれの発生を抑制することができる。
【００４９】
なお、各上記実施の形態では、第１レンズがズームレンズであり、第１リングがズームリング１１１であり、第１固定ねじがズーム用固定ねじ１１２であり、第２レンズがフォーカスレンズであり、第２リングがフォーカスリング１１３であり、第２固定ねじがフォーカス用固定ねじ１１４である構成について説明したが、第２レンズがズームレンズであり、第２リングがズームリング１１１であり、第２固定ねじがズーム用固定ねじ１１２であり、第１レンズがフォーカスレンズであり、第１リングがフォーカスリング１１３であり、第１固定ねじがフォーカス用固定ねじ１１４である構成であってもよい。第１レンズがフォーカスレンズであり、第２レンズがズームレンズである場合には、ボルト２３２が第１はさみ装置を構成し、ボルト２２２が第２はさみ装置を構成する。
【００５０】
また、各上記実施の形態では、第１レンズと、第１リングと、第１固定ねじと、第２レンズと、第２リングと、第２固定ねじとを有するレンズ装置の構成について説明したが、第１レンズと、第１リングと、第１固定ねじとを有するレンズ装置の構成、または、第２レンズと、第２リングと、第２固定ねじとを有するレンズ装置の構成であってもよい。
【００５１】
また、各上記実施の形態において、最も被写体側に設けられたレンズの表面にレンズを保護する透明シートをさらに備えた構成であってもよい。透明シートによって、カメラレンズ調整作業中に、作業者がレンズの表面に触れる等によるレンズの表面への汚れの付着を防止することができる。この場合、透明シートに水平方向および鉛直方法を示す十字記号を付してもよい。これにより、カメラ装置が撮影する画像を見ることによって、カメラ装置の水平面に対する傾きを検出することができる。
【００５２】
また、各上記実施の形態では、第１固定部が磁力を用いて基部２１に対して固定される構成について説明したが、磁力を用いずに第１固定部が基部２１に対して固定される構成であってもよい。また、第２固定部が磁力を用いて第１固定部に固定される構成について説明したが、磁力を用いずに第２固定部が第１固定部に固定される構成であってもよい。
【符号の説明】
【００５３】
１Ａ、１Ｂ  カメラ装置、２Ａ、２Ｂ、２Ｃ  カメラレンズ調整ずれ防止装置、３  天井、１１  レンズ装置、１２  支持部材、１３  基台、１４  脚部、１５  カバー、２１  基部、２２  ズームリング回転規制部材（第１回転規制部材）、２３  フォーカスリング回転規制部材（第２回転規制部材）、２４  ズームリング回転規制部材（第１回転規制部材）、２５  フォーカスリング回転規制部材（第２回転規制部材）、２６  ボルト、１１１  ズームリング（第１リング）、１１２  ズーム用固定ねじ（第１固定ねじ）、１１３  フォーカスリング（第２リング）、１１４  フォーカス用固定ねじ（第２固定ねじ）、２１１  基部本体、２１２  ボルト、２１３  貫通孔、２１４  凹部、２２１  第１固定部、２２２  ボルト、２２３  貫通孔、２２４  凸部、２２５  凹部、２２６  溝、２３１  第２固定部、２３２  ボルト、２３３  貫通孔、２３４  凸部、２３５  溝、２４１  第１固定部、２４２  可動部、２４３  貫通孔、２４４  凸部、２４５  凹部、２４６  溝、２４７  細部、２４８  太部、２５１  第２固定部、２５２  可動部、２５３  貫通孔、２５４  凸部、２５５  鍵部、２５６  小部、２５７  大部。
【図１】
0006584281.tif 000002
【図２】
0006584281.tif 000003
【図３】
0006584281.tif 000004
【図４】
0006584281.tif 000005
【図５】
0006584281.tif 000006
【図６】
0006584281.tif 000007
【図７】
0006584281.tif 000008
【図８】
0006584281.tif 000009
【図９】
0006584281.tif 000010
【図１０】
0006584281.tif 000011
【図１１】
0006584281.tif 000012